(57)【特許請求の範囲】
【請求項１】
基地局装置と端末装置とが無線接続して第１の通信方式により無線通信し、一斉放送発信装置から前記基地局装置を介して複数の前記端末装置へ一斉放送の情報を送信する無線通信システムにおいて、
前記基地局装置は、
前記一斉放送発信装置から送信された前記一斉放送の情報を受信する一斉放送受信手段と、
当該基地局装置に無線接続された前記端末装置に対して前記一斉放送受信手段により受信された前記一斉放送の情報を無線送信する一斉放送送信手段と、を備え、
前記端末装置は、
前記基地局装置と無線接続した場合に前記基地局装置から無線送信された前記一斉放送の情報を受信する情報受信手段と、
前記情報受信手段により受信された前記一斉放送の情報に対応する情報を前記第１の通信方式とは異なる第２の通信方式を使用して無線送信する第２無線送信手段と、
前記基地局装置との無線接続が非接続であった場合に、他の端末装置から前記第２の通信方式を使用して無線送信された前記一斉放送の情報に対応する情報を受信する第２無線受信手段と、
前記情報受信手段により前記一斉放送の情報を受信した場合には当該情報を再生し、前記第２無線受信手段により前記一斉放送の情報に対応する情報を受信した場合には当該情報を再生する再生手段と、を備え、
一斉放送状態において、前記基地局装置は、当該基地局装置に最初に接続完了した前記端末装置に対して前記第２の通信方式に使用する無線チャネルを指定する付加情報を無線送信し、
前記最初に接続完了した端末装置は、前記付加情報により指示された無線チャネルを使用して、前記基地局装置から受信した前記一斉放送の情報に対応する情報を前記第２の通信方式を使用して無線送信し、
前記端末装置の内の前記最初に接続完了した端末装置以外の前記端末装置は、前記基地局装置との無線接続が非接続であった場合に、前記最初に接続完了した端末装置から前記第２の通信方式を使用して無線送信された前記一斉放送の情報に対応する情報を受信することを特徴とする無線通信システム。
【発明の詳細な説明】
【技術分野】
【０００１】
本発明は、一斉放送発信装置から基地局装置を介して端末装置へ一斉放送の情報を送信する無線通信システムに関し、特に、基地局装置との間で無線通信することが可能な数を超える数の端末装置が存在するような場合においても、一斉放送の情報を全ての端末装置へ通知することが可能な無線通信システムを提供することを目的とする。
【背景技術】
【０００２】
例えば、事業所用のＰＨＳ（Ｐｅｒｓｏｎａｌ  Ｈａｎｄｙ  ｐｈｏｎｅ  Ｓｙｓｔｅｍ）の無線通信システムでは、事業所の構内等にＰＨＳ基地局装置を設けて、ＰＨＳ電話機により通話などすることが行われている。
このような無線通信システムにおいて災害発生時や緊急連絡時等に一斉放送を行う場合には、複数のＰＨＳ電話機が各々ＰＨＳ基地局装置と無線接続して通話回線を確保して、一斉放送発信装置からＰＨＳ基地局装置を介して各ＰＨＳ電話機へ一斉放送の音声を送信する方式が使用されてきた。この場合、各々のＰＨＳ電話機がそれぞれ異なる無線チャネルを使用するため、同一の無線エリア内（例えば、複数のＰＨＳ基地局装置で同一無線エリアを構成する場合など）ではＰＨＳ電話機が所定数（例えば、４０台程度）までしか接続することができず、同一の無線エリア内で一斉放送の音声を聞くことができるＰＨＳ電話機の台数に制限があった。
また、複数のＰＨＳ基地局装置が設けられる場合においても、ＰＨＳ基地局装置の台数によって同時に接続することができるＰＨＳ電話機の台数に制限があるため、ＰＨＳ基地局装置の回線数を超えたＰＨＳ電話機が存在する場合には、回線接続することができずに一斉放送の音声を聞くことができないＰＨＳ電話機が発生してしまう状況があった。
【０００３】
図７には、ＰＨＳの無線通信システムの一例を示してある。
本例の無線通信システムでは、ＰＨＳ制御装置５１に有線電話機５３及びＰＨＳ基地局装置５２が接続されており、ＰＨＳ基地局装置５２の通信可能エリアに複数（図７では、６台）のＰＨＳ電話機Ｂ１〜Ｂ６が存在する。
本例では、１台のＰＨＳ基地局装置５２により３台までのＰＨＳ電話機と無線接続することが可能であり、３台のＰＨＳ電話機Ｂ１〜Ｂ３はＰＨＳ基地局装置５２と無線接続していてＰＨＳ基地局装置５２から無線送信される一斉放送の音声を受信することができ、他の３台のＰＨＳ電話機Ｂ４〜Ｂ６はＰＨＳ基地局装置５２と無線接続することができなかったものでありＰＨＳ基地局装置５２から無線送信される一斉放送の音声を受信することができない。
このように、一部のＰＨＳ電話機Ｂ４〜Ｂ６で一斉放送の音声を聞くことができない状況が生じていた。
【０００４】
【特許文献１】特開２０００−３３３２５０号公報
【特許文献２】特開２００４−０２３４４８号公報
【発明の開示】
【発明が解決しようとする課題】
【０００５】
上述のように、例えば事業所用ＰＨＳの無線通信システムでは、同一の無線エリアに多数のＰＨＳ電話機が存在する場合には、一部のＰＨＳ電話機に対して一斉放送の音声を受信させることができないという問題があり、特に、一斉放送により重要なメッセージを送信するような場合にはそれを全てのＰＨＳ電話機へ通知したいといった要求があった。
本発明は、このような従来の事情に鑑み為されたもので、基地局装置（例えば、上記の例では、ＰＨＳ基地局装置）との間で無線通信することが可能な数を超える数の端末装置（例えば、上記の例では、ＰＨＳ電話機）が存在するような場合においても、基地局装置から無線送信される一斉放送の情報を全ての端末装置へ通知することができる無線通信システムを提供することを目的とする。
【課題を解決するための手段】
【０００６】
上記目的を達成するため、本発明に係る無線通信システムでは、次のような構成として、基地局装置と端末装置とが無線接続して第１の通信方式により無線通信し、一斉放送発信装置から前記基地局装置を介して前記端末装置へ一斉放送の情報を送信する。
すなわち、前記基地局装置では、一斉放送受信手段が前記一斉放送発信装置から送信された前記一斉放送の情報を受信し、一斉放送送信手段が当該基地局装置（自装置）に無線接続された前記端末装置に対して前記一斉放送受信手段により受信された前記一斉放送の情報を無線送信する。
前記端末装置では、前記基地局装置と無線接続した場合に情報受信手段が前記基地局装置から無線送信された前記一斉放送の情報を受信する。また、第２無線送信手段が前記情報受信手段により受信された前記一斉放送の情報に対応する情報を前記第１の通信方式とは異なる第２の通信方式を使用して無線送信する。
また、前記端末装置では、前記基地局装置との無線接続が非接続であった場合に、第２無線受信手段が他の端末装置から前記第２の通信方式を使用して無線送信された前記一斉放送の情報に対応する情報を受信する。
また、前記端末装置では、再生手段が、前記情報受信手段により前記一斉放送の情報を受信した場合には当該情報を再生し、或いは、前記第２無線受信手段により前記一斉放送の情報に対応する情報を受信した場合には当該情報を再生する。
【０００７】
従って、基地局装置に無線接続して一斉放送の情報を受信した端末装置が当該情報に対応する情報を異なる通信方式で無線送信し、基地局装置に無線接続できなかった端末装置が当該異なる通信方式で当該情報を受信することにより、例えば、基地局装置との間で無線通信することが可能な数を超える数の端末装置が存在するような場合においても、基地局装置から無線送信される一斉放送の情報（それに対応する情報を含む）を全ての端末装置へ通知することができる。
一構成例として、ＰＨＳの無線通信システムに適用することができ、この場合、基地局装置はＰＨＳ基地局装置により構成され、端末装置はＰＨＳ端末装置により構成され、第１の通信方式はＰＨＳの通信方式である。
【０００８】
ここで、一斉放送発信装置としては、一斉放送の情報を発信（送信）する種々な装置が用いられてもよく、例えば、任意の端末装置が用いられてもよく、或いは、一斉放送の情報を発信する権限が与えられた一部の端末装置が用いられてもよく、或いは、端末装置以外の装置が用いられてもよい。
また、一斉放送発信装置から送信された一斉放送の情報が、例えば、制御装置などを介して基地局装置により受信されてもよい。
また、一斉放送の情報としては、例えば、音声の情報や、文字の情報や、画像の情報など、種々な情報が用いられてもよい。
また、第１の通信方式や、第２の通信方式としては、それぞれ種々な通信方式が用いられてもよい。例えば、第１の通信方式としてはＰＨＳ等の種々な無線通信システムの通信方式が用いられ、第２の通信方式としては微弱無線やＢｌｕｅｔｏｏｔｈ等の通信方式を用いることができる。
【０００９】
また、端末装置が第２の通信方式を使用して一斉放送の情報に対応する情報を無線送信する処理は、例えば、制御装置などの上位の装置からの指示があった場合に（のみ）実行するような態様が用いられてもよく、或いは、一斉放送の情報を受信するたびに常に実行するような態様が用いられてもよい。
また、端末装置が第２の通信方式を使用して無線送信する一斉放送の情報に対応する情報としては、例えば、一斉放送の情報と全く同じ情報が用いられてもよく、或いは、全く同じではないが同様な内容を有する情報が用いられてもよい。
また、情報を再生する態様としては、例えば、音声の情報に基づく音声をスピーカから出力する態様や、文字の情報に基づく文字を画面に表示する態様や、画像の情報に基づく画像を画面に表示する態様などを用いることができる。
【発明の効果】
【００１０】
以上説明したように、本発明に係る無線通信システムによると、基地局装置と端末装置とが無線接続して第１の通信方式により無線通信し、一斉放送発信装置から基地局装置を介して端末装置へ一斉放送の情報を送信するに際して、基地局装置と無線接続した端末装置が基地局装置から受信した一斉放送の情報に対応する情報を第２の通信方式を使用して無線送信し、基地局装置と無線接続できなかった端末装置が他の端末装置から第２の通信方式を使用して無線送信された一斉放送の情報に対応する情報を受信するようにしたため、例えば、基地局装置との間で無線通信することが可能な数を超える数の端末装置が存在するような場合においても、基地局装置から無線送信される一斉放送の情報（それに対応する情報を含む）を全ての端末装置へ通知することができる。
【発明を実施するための最良の形態】
【００１１】
本発明に係る実施例を図面を参照して説明する。
図１には、本発明の一実施例に係る無線通信システムの一例を示してある。本例では、複数の相手に音声放送することができる事業所用のＰＨＳの無線通信システムに適用した場合を示す。
本例の無線通信システムは、ＰＨＳ制御装置１と、ＰＨＳ制御装置１に接続されたＰＨＳ基地局装置２と、ＰＨＳ制御装置１に接続された有線電話機３を備えており、また、端末装置である複数（本例では、６台）のＰＨＳ電話機Ａ１〜Ａ６を備えている。
【００１２】
複数のＰＨＳ電話機Ａ１〜Ａ６は、ＰＨＳ基地局装置２の通信可能エリアに存在する。
本例では、１台のＰＨＳ基地局装置２により３台までのＰＨＳ電話機と無線接続することが可能である。
また、本例の無線通信システムでは、システムの配下に存在するＰＨＳ電話機Ａ１〜Ａ６や有線電話機３に対して音声で一斉放送を行うことが可能であり、例えば、一斉放送の情報を発信する装置（一斉放送発信装置）からシステムの配下に存在する全ての電話機に対して同一の情報を同時に（或いは、ほぼ同時に）通知することが可能である。
なお、一斉放送の情報としては、本例では、音声の情報を用いるが、例えば、文字の情報や、画像の情報など、種々な情報が用いられてもよい。
【００１３】
まず、図１を参照して、本例の無線通信システムが有する特徴の概要を説明する。
例えば、ＰＨＳ基地局装置２から１つの同一のメッセージ情報を複数のＰＨＳ電話機に向けて一斉放送により無線送信する場合には、３台のＰＨＳ電話機Ａ１〜Ａ３はＰＨＳ基地局装置２に無線接続することができて当該メッセージ情報を受信することができるが、他の３台のＰＨＳ電話機Ａ４〜Ａ６はＰＨＳ基地局装置２に無線接続することができずに当該メッセージを受信することができない。
そこで、本例では、ＰＨＳ基地局装置２から前記メッセージ情報を受信したＰＨＳ電話機（例えば、ＰＨＳ電話機Ａ３）が受信したメッセージ情報を微弱無線或いはＢｌｕｅｔｏｏｔｈ等を用いて無線送信することにより、ＰＨＳ基地局装置２に無線接続することができなかったＰＨＳ電話機Ａ４〜Ａ６へも当該メッセージ情報を通知する。これにより、ＰＨＳ基地局装置２に無線接続することができなかったＰＨＳ電話機Ａ４〜Ａ６においても、ＰＨＳ基地局装置２から無線送信されたのと同じ一斉放送のメッセージ情報を受信することができ、ユーザ（人）は、当該メッセージ情報の音声を聞くことができる。
【００１４】
次に、更に詳しく説明する。
図２には、ＰＨＳ電話機Ａのハードウエアの構成例を示してある。なお、本例では、各ＰＨＳ電話機Ａ１〜Ａ６の構成は同様であり、これらをまとめてＰＨＳ電話機Ａとして示してある。
本例のＰＨＳ電話機Ａは、送信部２１と受信部２２とアンテナ２３を有したＰＨＳ無線機１１と、送信部３１と受信部３２とアンテナ３３を有した微弱無線機１２と、分配器１３と、送話路スイッチ１４と、受話路スイッチ１５と、受話器１６と、送話器１７と、内部メモリ１８を備えている。
ここで、ＰＨＳ無線機１１はＰＨＳの通信方式で無線通信を行う機能を有しており、微弱無線機１２は微弱無線（なお、Ｂｌｕｅｔｏｏｔｈ等でもよい）の通信方式で無線通信を行う機能を有している。
【００１５】
ＰＨＳ電話機Ａでは、送話器１７によりユーザの声などの音声を入力し、当該音声の情報がＰＨＳ無線機１１の送信部２１により送信処理されてアンテナ２３から無線送信される。
また、ＰＨＳ無線機１１のアンテナ２３により無線受信された信号が受信部２２により受信処理されて分配器１３により２つの信号に分配される。分配器１３には、送話路スイッチ１４と受話路スイッチ１５が接続されている。
送話路スイッチ１４は、分配器１３と微弱無線機１２の送信部３１との接続状態をオン（接続）とオフ（非接続）とで切り替える機能を有している。送話路スイッチ１４がオンである状態では、ＰＨＳ無線機１１の受信部２２により受信された情報が、分配器１３と送話路スイッチ１４を介して微弱無線機１２の送信部３１に入力され、送信部３１により送信処理されてアンテナ３３から無線送信される。
【００１６】
また、微弱無線機１２のアンテナ３３により無線受信された信号が受信部３２により受信処理される。
受話路スイッチ１５は、分配器１３と受話器１６とを接続する状態と、微弱無線機１２の受信部３２と受話器１６とを接続する状態とを切り替える機能を有しており、受話音の選択を行う。なお、これら２つの状態とともに、受話器１６に何も接続しない状態を切り替えることが可能な構成であってもよい。
受話路スイッチ１５が分配器１３と受話器１６とを接続する状態では、ＰＨＳ無線機１１の受信部２２により受信された情報が分配器１３と受話路スイッチ１５を介して受話器１６に入力され、例えば、当該情報である音声がユーザに対して音声出力される。
また、受話路スイッチ１５が微弱無線機１２の受信部３２と受話器１６とを接続する状態では、微弱無線機１２の受信部３２により受信された情報が受話路スイッチ１５を介して受話器１６に入力され、例えば、当該情報である音声がユーザに対して音声出力される。
【００１７】
図３には、ＰＨＳ電話機Ａの内部メモリ１８に記憶された情報の一例を示してある。
内部メモリ１８には、一斉放送用特番の情報と、一斉放送用応答特番の情報が、予め設定されて記憶されている。
一斉放送用特番の情報は、一斉放送に割り当てられた特別な電話番号の情報であり、ＰＨＳ基地局装置２の側からＰＨＳ電話機Ａの側への一斉放送で使用される。また、一斉放送用応答特番の情報は、一斉放送を受けた場合に応答を行うための特別な電話番号の情報であり、ＰＨＳ電話機Ａの側からＰＨＳ基地局装置２の側への一斉放送に対する応答で使用される。
【００１８】
図４には、ＰＨＳ制御装置１の内部メモリに記憶された微弱無線周波数割当テーブル４１の一例を示してある。
微弱無線周波数割当テーブル４１には、予め、ＰＨＳ基地局装置２を識別する情報である番号情報（ＰＨＳ基地局Ｎｏ．）と、微弱無線に割り当てられた周波数の情報（微弱無線割当周波数）との対応が設定されて格納されている。
ＰＨＳ制御装置１は、微弱無線周波数割当テーブル４１の内容に基づいて、各ＰＨＳ基地局装置２毎の単位で、微弱無線に使用すべき無線チャネル（本例では、周波数）を指定する。なお、本例では、各無線チャネルには、異なるチャネル番号（ｃｈ番号）が割り当てられている。
ここで、本例では、１台のＰＨＳ基地局装置２のみを示しているが、通常は、複数台のＰＨＳ基地局装置が設けられ、この場合に、それぞれのＰＨＳ基地局装置の通信可能エリアで使用される微弱無線の周波数を分散させることができる。
【００１９】
次に、本例の無線通信システムにおいて行われる動作の一例を示す。
図５を参照して、ＰＨＳ電話機Ａが待受け中であるときにおける動作シーケンスの一例を示す。
ＰＨＳ制御装置１は、一斉放送発信装置（例えば、有線電話機３若しくはＰＨＳ電話機Ａ）から一斉放送の要求を受信した場合には、一斉放送に対応した着信情報（一斉放送用特番を含む）をＰＨＳ基地局装置２へ送信する。ＰＨＳ基地局装置２は、ＰＨＳ制御装置１から一斉放送に対応した着信情報（一斉放送用特番を含む）を受信した場合には、当該着信情報を一斉放送用特番でＰＨＳ電話機Ａに対して無線送信する。なお、一斉放送の要求を行うことが可能なＰＨＳ電話機としては、例えば、権限を有した一部のＰＨＳ電話機のみとする構成が用いられてもよい。
ＰＨＳ電話機Ａは、ＰＨＳ基地局装置２から着信情報を受信した場合には、当該着信情報の内容を確認し、一斉放送用特番での着信であったときには一斉放送用応答特番でＰＨＳ基地局装置２に対して無線により発信する。
【００２０】
具体的には、ＰＨＳ電話機Ａは、着信情報を受けた場合には、当該着信情報内に格納されている電話番号と内部メモリ１８に予め設定されている一斉放送用特番とを比較し、これらの番号が一致したときには一斉放送であることを認識する。
また、本例では、ＰＨＳ電話機Ａは、一斉放送に対して自動的に応答し、この自動応答では、内部メモリ１８に予め登録されている一斉放送用応答特番で応答して、ＰＨＳ基地局装置２を介してＰＨＳ制御装置１との接続を開始する。
【００２１】
ＰＨＳ基地局装置２は、ＰＨＳ電話機Ａからの発信を受信した場合には、それに対応してＰＨＳ制御装置１に対して発信する。ＰＨＳ制御装置１は、ＰＨＳ基地局装置２からの発信を受信した場合には、これに応じてＰＨＳ基地局装置２に対して応答を送信する。ＰＨＳ基地局装置２は、ＰＨＳ制御装置１からの応答を受信した場合には、それに対応した応答をＰＨＳ電話機Ａに対して無線送信する。そして、ＰＨＳ電話機ＡがＰＨＳ基地局装置２からの応答を受信することにより接続が完了する。
ここで、ＰＨＳ電話機Ａは、応答の際に、ＰＨＳ基地局装置２を介してＰＨＳ制御装置１と接続することができた場合には、ＰＨＳ基地局装置２から受信した一斉放送の内容（本例では、音声）を受話器１６に流す。この場合、ＰＨＳ電話機Ａでは、受話路スイッチ１５により分配器１３と受話器１６とが接続される。
【００２２】
上記した接続完了後に、ＰＨＳ制御装置１は、各ＰＨＳ基地局装置２毎に、所定のＰＨＳ電話機に対して、微弱無線に使用する周波数を指示する付加情報を送信する。本例では、この付加情報は、各ＰＨＳ基地局装置２毎に、最初に接続完了したＰＨＳ電話機に対して送られる。ＰＨＳ基地局装置２は、ＰＨＳ制御装置１から付加情報を受信した場合には、当該付加情報をＰＨＳ電話機Ａ（本例では、当該ＰＨＳ基地局装置２に最初に接続完了したＰＨＳ電話機）に対して無線送信する。
ＰＨＳ基地局装置２に最初に接続完了したＰＨＳ電話機は、ＰＨＳ基地局装置２から付加情報を受信した場合には、当該付加情報により指示された周波数を使用して、ＰＨＳ基地局装置２から受信した一斉放送の情報（本例では、音声）を微弱無線により無線送信する。この場合、ＰＨＳ電話機では、送話路スイッチ１４により分配器１３と微弱無線機１２の送信部３１とが接続される。
【００２３】
このように、本例では、接続完了後に、付加情報により、微弱無線機１２への送出を行うか否かをＰＨＳ制御装置１からＰＨＳ電話機Ａへ指示するとともに、これと同時に、微弱無線機１２により使用する送出周波数を例えばチャネル番号で指定する。なお、付加情報としては、例えば、ＰＨＳプロトコル上のシグナル情報要素に、無線送出（本例では、微弱無線による送出）の有無の指定と、チャネル指定（本例では、無線チャネルの指定）の項目を追加したものを用いる。また、付加情報としては、例えば、微弱無線機１２への送出を行うか否かを指示する情報を含んでもよく、或いは、付加情報を受信することが微弱無線機１２への送出を行うべき指示であると認識する構成とすることも可能である。
また、本例では、ＰＨＳ基地局装置２に最初に接続完了したＰＨＳ電話機では、分配器１３により分配された音声が当該ＰＨＳ電話機に搭載された微弱無線機１２から送信されるように、送話路スイッチ１４により分配器１３と微弱無線器１２の送信部３１とを接続する。なお、受話路スイッチ１５は、ＰＨＳ無線機１１の側に接続する、つまり、分配器１３と受話器１６とを接続する。
【００２４】
なお、最初にＰＨＳ基地局装置２に接続完了したＰＨＳ電話機を決定する態様としては、例えば、接続完了したことを各ＰＨＳ電話機からＰＨＳ基地局装置２を介してＰＨＳ制御装置１へ通知してＰＨＳ制御装置１が決定する態様や、或いは、ＰＨＳ制御装置１が最初に接続のための応答を送信したＰＨＳ電話機を最初に一斉放送の状態に切り替えたＰＨＳ電話機とみなして決定する態様などを用いることができる。
【００２５】
また、応答の際に、ＰＨＳ基地局装置２を介してＰＨＳ制御装置１に接続することができなかったＰＨＳ電話機では、受話路スイッチ１５を微弱無線機１２の側に接続し、つまり、微弱無線機１２の受信部３２と受話器１６とを接続し、そして、ＰＨＳ基地局装置２に最初に接続完了したＰＨＳ電話機の微弱無線機１２により使用されている無線チャネル（本例では、周波数）を検索して、微弱無線機１２の受信部３２により受信される音声を受話器１６により聞くことができるようにする。
なお、本例のＰＨＳ電話機Ａでは、一斉放送が行われるときには、例えば、受話のみを行い、送話は行わない。また、通信の切断は、ＰＨＳ電話機Ａのオンフックボタンの押下により行われる。
【００２６】
図６を参照して、ＰＨＳ電話機Ａが通信中であるときにおける動作シーケンスの一例を示す。
ＰＨＳ制御装置１は、一斉放送発信装置（例えば、有線電話機３若しくはＰＨＳ電話機Ａ）から一斉放送の要求を受信した場合には、付加情報をＰＨＳ基地局装置２へ送信する。ＰＨＳ基地局装置２は、ＰＨＳ制御装置１から付加情報を受信した場合には、当該付加情報をＰＨＳ電話機Ａに対して無線送信する。
このように、ＰＨＳ電話機Ａが一斉放送以外の通話状態であった場合には、ＰＨＳ制御装置１の内部で通話路（音声回線）を強制的に一斉放送の回線へ切り替え、自動的に通話中のＰＨＳ電話機Ａを一斉放送に参入させる。このとき、ＰＨＳ制御装置１は、ＰＨＳ電話機Ａの側へ、微弱無線機１２への送出を行うか否かを指示するとともに微弱無線で使用すべき周波数を指示する付加情報を通知する。
【００２７】
本例では、付加情報を通知するＰＨＳ電話機Ａとしては、各ＰＨＳ基地局装置２毎に、無線接続されたＰＨＳ電話機Ａの中から最初に一斉放送に参入した（最初に一斉放送の状態へ切り替えた）ＰＨＳ電話機とする。
最初に一斉放送の状態へ切り替えたＰＨＳ電話機は、ＰＨＳ基地局装置２から付加情報を受信した場合には、当該付加情報により指示された周波数を使用して、ＰＨＳ基地局装置２から受信した一斉放送の情報（本例では、音声）を微弱無線により無線送信する。具体的には、このＰＨＳ電話機では、付加情報を受けると、送話路スイッチ１４をオンにして、ＰＨＳ無線機１１の側から微弱無線機１２の側へ一斉放送の音声を送り、微弱無線機１２は送話路スイッチ１４のオンへの切り替えと送信チャネル（本例では、周波数）の指定により電波の送出を開始する。
【００２８】
なお、最初に一斉放送の状態へ切り替えたＰＨＳ電話機を決定する態様としては、例えば、一斉放送の状態へ切り替えたことを各ＰＨＳ電話機からＰＨＳ基地局装置２を介してＰＨＳ制御装置１へ通知してＰＨＳ制御装置１が決定する態様や、或いは、ＰＨＳ制御装置１が最初に一斉放送への切り替えを指示したＰＨＳ電話機を最初に一斉放送の状態へ切り替えたＰＨＳ電話機とみなして決定する態様などを用いることができる。
【００２９】
ここで、本例では、ＰＨＳ制御装置１は、ＰＨＳ電話機Ａが接続されているＰＨＳ基地局装置２の単位で微弱無線の使用周波数が分散されるように、微弱無線機１２により使用する送信チャネル（本例では、周波数）を指定する。このため、図４に示される微弱無線周波数割当テーブル４１のように、予め、ＰＨＳ制御装置１の内部に、ＰＨＳ基地局装置２毎に微弱無線の周波数割り当てを設定しておく。ＰＨＳ制御装置１は、微弱無線周波数割当テーブル４１の情報を基に、微弱無線で使用すべき周波数をＰＨＳ電話機Ａに対して指示する。
【００３０】
また、例えば、図５に示されるように待受け中のＰＨＳ電話機と図６に示されるように通話中のＰＨＳ電話機との両方が存在する場合には、例えば、最初に接続完了したＰＨＳ電話機（図５の場合）により微弱無線の通信を実行させる態様や、或いは、最初に一斉放送の状態へ切り替えたＰＨＳ電話機（図６の場合）により微弱無線の通信を実行させる態様や、或いは、これら両方の内でより早い方のＰＨＳ電話機により微弱無線の通信を実行させる態様などを用いることができる。
【００３１】
具体例として、図１に示される無線通信システムでは、６台のＰＨＳ電話機Ａ１〜Ａ６のうちの３台のＰＨＳ電話機Ａ１〜Ａ３がＰＨＳ基地局装置２と無線接続することができ、そのうちの１台のＰＨＳ電話機Ａ３が最初にＰＨＳ基地局装置２と接続完了した（図５の場合）或いは最初に一斉放送の状態へ切り替えた（図６の場合）ことにより微弱無線の通信を実行する。
この場合、他の３台のＰＨＳ電話機Ａ４〜Ａ６は、ＰＨＳ基地局装置２と無線接続することができなかったため、ＰＨＳ基地局装置２から無線送信される一斉放送の情報を直接的には受信することはできないが、ＰＨＳ電話機Ａ３により微弱無線で送信される情報（例えば、一斉放送と同じ情報）を受信することができるため、一斉放送と同じ内容の情報を受信してユーザに対して出力することができる。
【００３２】
以上のように、本例のＰＨＳの無線通信システムでは、一斉放送を行うに際して、ＰＨＳ基地局装置２により無線接続することができる台数を超える端末数への放送を行う場合に、ＰＨＳ基地局装置２に接続することができたＰＨＳ電話機Ａ１〜Ａ３（本例では、ＰＨＳ電話機Ａ３）から、ＰＨＳ基地局装置２に接続することができなかったＰＨＳ電話機Ａ４〜Ａ６に対して、ＰＨＳ以外のシステム（例えば、微弱無線或いはＢｌｕｅｔｏｏｔｈ等の短距離間通信用通信方式）の無線通信を使用して、一斉放送の情報を中継することが行われる。このように、ＰＨＳの受信エリア内で、端末間通信を利用することにより、ＰＨＳ基地局装置２の回線が足りずに接続することができなかったＰＨＳ電話機Ａ４〜Ａ６（例えば、このようなＰＨＳ電話機Ａ４〜Ａ６のみ）に対して、ＰＨＳ基地局装置２に接続することができたＰＨＳ電話機から、一斉放送の情報を中継することができる。
【００３３】
従って、本例のＰＨＳの無線通信システムでは、同一の無線エリアにおいてＰＨＳ基地局装置２と無線接続することができなかったＰＨＳ電話機Ａ４〜Ａ６に対して他の無線媒体を使用して一斉放送と同様な情報を報知する（本例では、音声放送を聞かせる）ことにより、ＰＨＳ基地局装置２の回線数に制限されることなく、一斉放送の情報をシステムの配下に存在する電話機にもれなく通知することができる。
このように、本例のＰＨＳの無線通信システムでは、ＰＨＳ電話機Ａ１〜Ａ６に微弱無線或いはＢｌｕｅｔｏｏｔｈ等といった別の無線媒体を搭載することで、ＰＨＳ基地局装置２と無線回線で接続することができなかったＰＨＳ電話機に対しても、別の無線媒体を使用して一斉放送の情報を通知することができる。これにより、例えば、一箇所で一斉放送を聞くことが可能なＰＨＳ電話機の台数を事業所用ＰＨＳシステムの限界と言われている台数以上にして、より多くの人に一斉放送を聞かせるようなことも可能である。
【００３４】
なお、本例の基地局装置（本例では、ＰＨＳ基地局装置２）では、一斉放送発信装置から送信された一斉放送の情報を受信する機能により一斉放送受信手段が構成されており、受信した一斉放送の情報を第１の通信方式（本例では、ＰＨＳの通信方式）で無線送信する機能により一斉放送送信手段が構成されている。
また、本例の端末装置（本例では、ＰＨＳ電話機Ａ１〜Ａ６）では、基地局装置２と無線接続した場合にＰＨＳ無線機１１により基地局装置２から一斉放送の情報を受信する機能により情報受信手段が構成されており、受信した一斉放送の情報に対応する情報を微弱無線機１２により第２の通信方式（本例では、微弱無線の通信方式）で送信する機能により第２無線送信手段が構成されており、他の端末装置から微弱無線で送信された情報を微弱無線機１２により受信する機能により第２無線受信手段が構成されており、ＰＨＳ無線機１１或いは微弱無線機１２により受信した情報（本例では、音声の情報）を受話器１６により再生する機能により再生手段が構成されている。
【００３５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３６】
【図１】本発明の一実施例に係る無線通信システムの構成例を示す図である。
【図２】ＰＨＳ電話機の構成例を示す図である。
【図３】ＰＨＳ電話機の内部メモリに記憶された情報の一例を示す図である。
【図４】ＰＨＳ制御装置の微弱無線周波数割当テーブルの一例を示す図である。
【図５】待受け中のＰＨＳ電話機とＰＨＳ制御装置との間で行われる通信の一例を示す図である。
【図６】通話中のＰＨＳ電話機とＰＨＳ制御装置との間で行われる通信の一例を示す図である。
【図７】無線通信システムの構成例を示す図である。
【符号の説明】
【００３７】
１、５１・・ＰＨＳ制御装置、  ２、５２・・ＰＨＳ基地局装置、  ３、５３・・有線電話機、  Ａ、Ａ１〜Ａ６、Ｂ１〜Ｂ６・・ＰＨＳ電話機、  １１・・ＰＨＳ無線機、  １２・・微弱無線機、  １３・・分配器、  １４・・送話路スイッチ、  １５・・受話路スイッチ、  １６・・受話器、  １７・・送話器、  １８・・内部メモリ、  ２１、３１・・送信部、  ２２、３２・・受信部、  ２３、３３・・アンテナ、  ４１・・微弱無線周波数割当テーブル、
【図１】
0004722762.tif 000002
【図２】
0004722762.tif 000003
【図３】
0004722762.tif 000004
【図４】
0004722762.tif 000005
【図５】
0004722762.tif 000006
【図６】
0004722762.tif 000007
【図７】
0004722762.tif 000008